【事件の表示】
　特願２０１５−７２４２３号「遊技機」拒絶査定不服審判事件〔平成２７年７月２日出願公開、特開２０１５−１２００６７号〕について、次のとおり審決する。
【結　論】
　本件審判の請求は、成り立たない。
【理　由】
第１　手続の経緯 
　本願は、平成２４年５月２２日に出願した特願２０１２−１１７００７号の一部を平成２７年３月３１日に新たな特許出願としたものであって、平成２８年３月２日付けで拒絶理由通知がされ、これに対し同年５月１１日付けで意見書が提出されたが、同年９月９日付けで拒絶査定がなされ、これに対して、同年１１月７日付けで拒絶査定不服審判の請求がなされるとともに手続補正（以下、「本件補正」という。）がなされたものである。  
第２　本件補正についての補正却下の決定 
［補正却下の決定の結論］ 
　本件補正を却下する。 
［理由］ 
１．本件補正の概要 
　本件補正は特許請求の範囲の請求項１の記載を含む補正であり、出願時と本件補正の特許請求の範囲の請求項１の記載はそれぞれ、以下のとおりである（下線部は補正箇所を示す。）。 
（補正前：出願時） 
「【請求項１】 
　識別情報の可変表示を行う可変表示装置に特定結果が導出表示されたときに遊技者にとって有利な有利状態に制御可能な遊技機であって、
　リーチ演出を実行するリーチ演出実行手段と、
　遊技者に遊技価値を付与する遊技価値付与手段とを備え、
　前記リーチ演出は、最終停止識別情報として導出表示される識別情報の候補の画像と所定演出を示唆する所定演出示唆画像とが表示される特別リーチ演出を含み、
　前記特別リーチ演出が実行された後、最終停止識別情報が導出表示される前に前記所定演出を実行する所定演出実行手段をさらに備え、
　前記遊技価値付与手段は、前記所定演出実行手段により前記所定演出が実行されてから前記有利状態に制御されたときと、前記特別リーチ演出が実行された後前記所定演出が実行されずに前記有利状態に制御されたときとで、異なる割合で遊技価値を付与し、
　前記特別リーチ演出では、前記所定演出示唆画像を複数表示可能である、
　ことを特徴とする遊技機。」 
（補正後：本件補正である平成２８年１１月７日付けの手続補正）  
「【請求項１】 
　識別情報の可変表示を行う可変表示装置に特定結果が導出表示されたときに遊技者にとって有利な有利状態に制御可能な遊技機であって、
　リーチ演出を実行するリーチ演出実行手段と、
　遊技者に遊技価値を付与する遊技価値付与手段とを備え、
　前記リーチ演出は、最終停止識別情報として導出表示される識別情報の候補の画像と所定演出を示唆する所定演出示唆画像とが表示される特別リーチ演出を含み、
　前記特別リーチ演出が実行された後、最終停止識別情報が導出表示される前に前記所定演出を実行する所定演出実行手段をさらに備え、
　前記遊技価値付与手段は、前記所定演出実行手段により前記所定演出が実行されてから前記有利状態に制御されたときと、前記特別リーチ演出が実行された後前記所定演出が実行されずに前記有利状態に制御されたときとで、異なる割合で遊技価値を付与し、
　前記特別リーチ演出では、前記所定演出示唆画像を複数表示可能であり、
　
前記所定演出実行手段は、複数種類の前記所定演出のいずれかを実行可能であり、
　
前記所定演出の各々に対応して複数種類の前記所定演出示唆画像が定められ、前記特別リーチ演出で表示される前記所定演出示唆画像の組み合わせに応じて異なる割合で前記所定演出が実行される、
　ことを特徴とする遊技機。」 
２．補正の適否
　本件補正によって、請求項１の記載は、上記１．の下線部Ｈ及びＩが加わるように補正された。すなわち、補正後の請求項１は、補正前の請求項１に記載された発明特定事項である「所定演出実行手段」について「複数種類の前記所定演出の何れかを実行可能であ」るという限定を付加し、また、補正前の請求項１に記載された発明特定事項である「所定演出実行手段」により「実行」される「所定演出」について「前記所定演出の各々に対応して複数種類の前記所定演出示唆画像が定められ、前記特別リーチ演出で表示される前記所定演出示唆画像の組み合わせに応じて異なる割合で前記所定演出が実行される」という限定を付加したものである。
　そうすると、補正後の請求項１に記載された発明は、補正前の請求項１に記載された発明と、産業上の利用分野及び解決しようとする課題が同一であるので、本件補正は、特許法第１７条の２第５項第２号に規定する「特許請求の範囲の減縮」を目的とする補正に該当する。 
　そして、本件補正は、明細書の段落【０２７４】、【０２７６】〜【０２７８】及び【０２８１】等の記載に基づいており、新規事項を追加するものではない。 
３．独立特許要件 
　そこで、本件補正後の請求項１に記載された発明が特許出願の際独立して特許を受けることができるものであるか否か、すなわち、特許法第１７条の２第６項において準用する同法第１２６条第７項の規定に適合するか否か、について以下において検討する。 
（１）本件補正後の請求項１に係る発明 
　補正後の請求項１に係る発明（以下、「本願補正発明」という。）は、上記１．の本件補正の概要において示した次に特定されるとおりのものである。なお、Ａ〜Ｉについては、発明特定事項を分説するため答申で付与した。
「Ａ　識別情報の可変表示を行う可変表示装置に特定結果が導出表示されたときに遊技者にとって有利な有利状態に制御可能な遊技機であって、
Ｂ　リーチ演出を実行するリーチ演出実行手段と、
Ｃ　遊技者に遊技価値を付与する遊技価値付与手段とを備え、
Ｄ　前記リーチ演出は、最終停止識別情報として導出表示される識別情報の候補の画像と所定演出を示唆する所定演出示唆画像とが表示される特別リーチ演出を含み、
Ｅ　前記特別リーチ演出が実行された後、最終停止識別情報が導出表示される前に前記所定演出を実行する所定演出実行手段をさらに備え、
Ｆ　前記遊技価値付与手段は、前記所定演出実行手段により前記所定演出が実行されてから前記有利状態に制御されたときと、前記特別リーチ演出が実行された後前記所定演出が実行されずに前記有利状態に制御されたときとで、異なる割合で遊技価値を付与し、
Ｇ　前記特別リーチ演出では、前記所定演出示唆画像を複数表示可能であり、
Ｈ　前記所定演出実行手段は、複数種類の前記所定演出のいずれかを実行可能であり、
Ｉ　前記所定演出の各々に対応して複数種類の前記所定演出示唆画像が定められ、前記特別リーチ演出で表示される前記所定演出示唆画像の組み合わせに応じて異なる割合で前記所定演出が実行される、
　ことを特徴とする遊技機。」
　ここで、本願補正発明の「Ｇ　前記特別リーチ演出では、前記所定演出示唆画像を複数表示可能であ」ることの「可能」とは、文言上、特別リーチ演出で、所定演出示唆画像を必ず複数表示するのではなく、１つのみ表示する場合や、全く表示しない場合もあると解すことができる。
　しかしながら、本願補正発明の構成Ｄにおいて「特別リーチ演出」は「最終停止識別情報として導出表示される識別情報の候補の画像と所定演出を示唆する所定演出示唆画像とが表示される」のであるから、必ず所定演出示唆画像を表示するものであることは明らかであり、また、本願補正発明の構成Ｉにおいて「所定演出示唆画像の組み合わせ」が「表示される」のであるから、「組み合わせ」とするために複数の所定示唆画像の表示が必要なことも明らかである。
　したがって、本願補正発明の「Ｇ　前記特別リーチ演出では、前記所定演出示唆画像を複数表示可能であ」ることは、本願補正発明の構成Ｄ、Ｉにより特別リーチ演出で所定演出示唆画像を１つのみ表示する場合や、全く表示しない場合は除外されるから、「前記特別リーチ演出では、前記所定演出示唆画像を複数表示」することと実質的に同視できる。
（２）本願と同日の出願に係る発明 
　前置報告書において新たに提示された、本願と同日の出願に係る特願２０１４−２５２２０３号（以下「同日出願」という。特許第５８７３１５９号公報参照。）の請求項１に係る発明（以下、「同日出願発明」という。）は、特許請求の範囲の請求項１に記載された事項により特定される次のとおりのものである。 なお、ａ〜ｉについては同日出願発明の発明特定事項を分説するため当審で付与した。 
「ａ　各々を識別可能な複数種類の識別情報の可変表示を行う可変表示装置に表示結果として特定表示結果が導出表示されたときに遊技者にとって有利な有利状態に制御する遊技機であって、
ｂ　リーチ演出を実行するリーチ演出実行手段と、
ｃ　遊技者に遊技価値を付与する遊技価値付与手段とを備え、
ｄ　前記リーチ演出は、導出表示される識別情報の候補の画像と所定演出を示唆する所定演出示唆画像とが前記可変表示装置に表示される特別リーチ演出を含み、
ｅ　前記特別リーチ演出が実行された後、表示結果が導出表示される前に前記所定演出を実行する所定演出実行手段をさらに備え、
ｆ　前記遊技価値付与手段は、前記特別リーチ演出が実行された後前記所定演出が実行されてから特定表示結果が導出表示されるときと、前記特別リーチ演出が実行された後前記所定演出が実行されずに特定表示結果が導出表示されるときとで、異なる割合で遊技価値を付与し、
ｈ　前記所定演出実行手段は、複数種類の前記所定演出のいずれかを実行可能であり、
ｇ、ｉ　前記所定演出の各々に対応して複数種類の前記所定演出示唆画像が定められ、前記特別リーチ演出で表示される前記所定演出示唆画像の組み合わせに応じて異なる割合で前記所定演出が実行される、
  ことを特徴とする遊技機。」
（３）対比・判断 
　本願補正発明と同日出願発明とを対比する。なお、見出しは（ａ）〜（ｉ）とし、本願補正発明、同日出願発明の分説に対応させている。
 
（ａ）識別情報の可変表示を行う可変表示装置を有する遊技機において、「識別情報」が各々を識別可能な複数種類のものからなることは技術常識であり、本願補正発明の「識別情報」が各々を識別可能な複数種類のものからなることは明らかである。
　また、同日出願発明の「表示結果として」の「特定表示結果」及び「遊技者にとって有利な遊技状態状態に制御する遊技機」は、本願補正発明の「特定結果」及び「遊技者にとって有利な遊技状態に制御可能な遊技機」に相当する。
　したがって、同日出願発明の「各々を識別可能な複数種類の識別情報の可変表示を行う可変表示装置に表示結果として特定表示結果が導出表示されたときに遊技者にとって有利な有利状態に制御する遊技機」は、本願補正発明の「識別情報の可変表示を行う可変表示装置に特定結果が導出表示されたときに遊技者にとって有利な有利状態に制御可能な遊技機」に相当する。
（ｂ）同日出願発明の「リーチ演出を実行するリーチ演出実行手段」は、本願補正発明の「リーチ演出を実行するリーチ演出実行手段」に相当する。
（ｃ）同日出願発明の「遊技者に遊技価値を付与する遊技価値付与手段」は、本願補正発明の「遊技者に遊技価値を付与する遊技価値付与手段」に相当する。 
（ｄ）同日出願発明の「導出表示される識別情報」は、「表示結果」または「特定表示結果」であることは明らかであって、本願補正発明の「最終停止識別情報として導出表示される識別情報」に相当するといえる。
　また、識別情報の可変表示を行う可変表示装置を有する遊技機において、最終停止識別情報として導出表示される識別情報の候補の画像を表示してリーチ演出を行う際に可変表示装置を用いることは技術常識であるから、本願補正発明の「リーチ演出」に「含」まれる「特別リーチ演出」において「最終停止識別情報として導出表示される識別情報の候補の画像と所定演出を示唆する所定演出示唆画像と」が、「識別情報の可変表示を行う可変表示装置」に表示されるものであることは明らかである。
　したがって、同日出願発明の「前記リーチ演出は、導出表示される識別情報の候補の画像と所定演出を示唆する所定演出示唆画像とが前記可変表示装置に表示される特別リーチ演出を含」むことは、本願補正発明の「前記リーチ演出は、最終停止識別情報として導出表示される識別情報の候補の画像と所定演出を示唆する所定演出示唆画像とが表示される特別リーチ演出を含」むことに相当する。
（ｅ）同日出願発明の「前記特別リーチ演出が実行された後、表示結果が導出表示される前に前記所定演出を実行する所定演出実行手段」は、本願補正発明の「前記特別リーチ演出が実行された後、最終停止識別情報が導出表示される前に前記所定演出を実行する所定演出実行手段」に相当する。
（ｆ）同日出願発明において、「所定演出」は、「所定演出実行手段」により「実行」されるものである。また、「特定表示結果が導出表示されるとき」は、「有利状態に制御」されるものである。
　さらに、本願補正発明においては、「特別リーチ演出が実行された後」に「所定演出」が「実行」されるものである。また、「有利状態に制御され」るのは、「特定結果が導出表示されたとき」である。
　したがって、同日出願発明の「前記遊技価値付与手段は、前記特別リーチ演出が実行された後前記所定演出が実行されてから特定表示結果が導出表示されるときと、前記特別リーチ演出が実行された後前記所定演出が実行されずに特定表示結果が導出表示されるときとで、異なる割合で遊技価値を付与」することは、本願補正発明の「前記遊技価値付与手段は、前記所定演出実行手段により前記所定演出が実行されてから前記有利状態に制御されたときと、前記特別リーチ演出が実行された後前記所定演出が実行されずに前記有利状態に制御されたときとで、異なる割合で遊技価値を付与」することに相当する。
（ｇ）上記（１）で検討したように、本願補正発明の「Ｇ　前記特別リーチ演出では、前記所定演出示唆画像を複数表示可能であ」ることは、本願補正発明の構成Ｄ、Ｉを勘案すれば「前記特別リーチ演出では、前記所定演出示唆画像を複数表示」することと実質的に同視できる。
　したがって、同日出願発明の「前記特別リーチ演出で」「複数種類の」「前記所定演出示唆画像」を「表示」することは、本願補正発明の構成Ｄ、Ｉを勘案した本願補正発明の「前記特別リーチ演出では、前記所定演出示唆画像を複数表示可能であ」ることに相当する。
（ｈ）同日出願発明の「前記所定演出実行手段は、複数種類の前記所定演出のいずれかを実行可能であ」ることは、本願補正発明の「前記所定演出実行手段は、複数種類の前記所定演出のいずれかを実行可能であ」ることに相当する。 
（ｉ）同日出願発明の「前記所定演出の各々に対応して複数種類の前記所定演出示唆画像が定められ、前記特別リーチ演出で表示される前記所定演出示唆画像の組み合わせに応じて異なる割合で前記所定演出が実行される」ことは、本願補正発明の「前記所定演出の各々に対応して複数種類の前記所定演出示唆画像が定められ、前記特別リーチ演出で表示される前記所定演出示唆画像の組み合わせに応じて異なる割合で前記所定演出が実行される」ことに相当する。 
　そうすると、両者は、 
「Ａ　識別情報の可変表示を行う可変表示装置に特定結果が導出表示されたときに遊技者にとって有利な有利状態に制御可能な遊技機であって、
Ｂ　リーチ演出を実行するリーチ演出実行手段と、
Ｃ　遊技者に遊技価値を付与する遊技価値付与手段とを備え、
Ｄ　前記リーチ演出は、最終停止識別情報として導出表示される識別情報の候補の画像と所定演出を示唆する所定演出示唆画像とが表示される特別リーチ演出を含み、
Ｅ　前記特別リーチ演出が実行された後、最終停止識別情報が導出表示される前に前記所定演出を実行する所定演出実行手段をさらに備え、
Ｆ　前記遊技価値付与手段は、前記所定演出実行手段により前記所定演出が実行されてから前記有利状態に制御されたときと、前記特別リーチ演出が実行された後前記所定演出が実行されずに前記有利状態に制御されたときとで、異なる割合で遊技価値を付与し、
Ｇ’前記特別リーチ演出では、前記所定演出示唆画像を複数表示可能又は複数表示するものであり、
Ｈ　前記所定演出実行手段は、複数種類の前記所定演出のいずれかを実行可能であり、
Ｉ　前記所定演出の各々に対応して複数種類の前記所定演出示唆画像が定められ、前記特別リーチ演出で表示される前記所定演出示唆画像の組み合わせに応じて異なる割合で前記所定演出が実行される、
　遊技機。」 
である点で一致し、相違点はない。
　よって、本願補正発明と同日出願発明とは同一である。
（４）小括 
　したがって、本願補正発明は、同日出願発明と同一の発明であり、同日出願発明は、既に特許されており、協議をすることができないから、特許法第３９条第２項の規定により、特許出願の際独立して特許を受けることができない。
４．むすび 
　以上より、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明 
　本件補正は、上記のとおり却下されたので、本願の請求項１に係る発明（以下、「本願発明」という。）は、上記第２の１．で出願時の特許請求の範囲の請求項１として示した次に特定されるとおりのものである。なお、Ａ〜Ｇについては、発明特定事項を分説するため当審で付与した。
「Ａ　識別情報の可変表示を行う可変表示装置に特定結果が導出表示されたときに遊技者にとって有利な有利状態に制御可能な遊技機であって、
Ｂ　リーチ演出を実行するリーチ演出実行手段と、
Ｃ　遊技者に遊技価値を付与する遊技価値付与手段とを備え、
Ｄ　前記リーチ演出は、最終停止識別情報として導出表示される識別情報の候補の画像と所定演出を示唆する所定演出示唆画像とが表示される特別リーチ演出を含み、
Ｅ　前記特別リーチ演出が実行された後、最終停止識別情報が導出表示される前に前記所定演出を実行する所定演出実行手段をさらに備え、
Ｆ　前記遊技価値付与手段は、前記所定演出実行手段により前記所定演出が実行されてから前記有利状態に制御されたときと、前記特別リーチ演出が実行された後前記所定演出が実行されずに前記有利状態に制御されたときとで、異なる割合で遊技価値を付与し、
Ｇ　前記特別リーチ演出では、前記所定演出示唆画像を複数表示可能である、
　ことを特徴とする遊技機。」
１．刊行物に記載された事項 
（１）　原査定の拒絶の理由に引用された、本願の出願前に頒布された刊行物である特開２０１１−２３４７５５号公報（以下、「刊行物１」という。）には、図面と共に次の事項が記載されている（下線は当審で付した。）。
ア　「【１１１２】
　なお、
変動表示において変動して表示される画像（複合候補画像）に、複数種類の発展演出をそれぞれ表す複数の演出示唆画像が追加され
イ　「【１１３３】
［態様６］
　
遊技機であって、
　検出手段による遊技球の検出に応じて取得された乱数を用いて抽選を行う抽選手段と、
　画像を表示可能であるとともに、
複数の図柄表示領域を表示可能な表示画面を有する表示手段
　前記抽選のそれぞれに関して、
前記複数の図柄表示領域のそれぞれにおいて複数の図柄を利用した変動表示を行った後に図柄を停止表示させることによって、停止表示させた複数の図柄の組み合わせによって特定の特典が付与される
　を備え、
　前記表示制御手段は、前記表示手段の制御の一部の種類のパターンを実現する手段として、
　　
前記複数の図柄表示領域のうちの一部の図柄表示領域において図柄を停止表示させることによってリーチ状態を形成するリーチ形成手段と、
　　
前記リーチ状態を形成する図柄表示領域と組み合わせて前記特定の特典が付与されるか否かの報知に利用される図柄表示領域である特定の図柄表示領域における前記変動表示において表示されるべき画像に、図柄の候補である複数の停止図柄候補に加えて、図柄の停止表示に先立って実現され得る演出である発展演出を表す発展演出示唆画像を追加する演出示唆画像追加手段と、
　　前記一部の種類のパターンのうちの特定のパターンである
第１パターンを実現する
前記特定の図柄表示領域における変動表示に続いて、前記発展演出を実現することなく、図柄を停止表示させることによって
図柄停止手段と、
　　前記一部の種類のパターンのうちの
前記第１パターンとは異なる別の特定のパターンであって
前記特定の特典が付与されることを表す当たりである期待度が高い第２パターンを実現する
前記特定の図柄表示領域における変動表示に続いて、図柄を停止表示させる代わりに前記発展演出示唆画像を停止表示させ、前記発展演出を前記表示手段に実現させ
ることによって
演出実現停止手段と、
　　前記特定の図柄表示領域における変動表示を実行する手段であって、前記第１パターンが実現される場合に、前記第２パターンと比べて前記当たりの期待度が低いとはいえ、前記第２パターンでは停止表示されるものの前記第１パターンでは停止表示されないにも拘わらずに、前記発展演出示唆画像の表示を含む前記変動表示を行う複合変動表示手段と、
　を含む、遊技機。
…
【１１３７】
　また、
特定の特典としては
大当たり遊技を採用してもよい
　上記記載事項ア及びイを総合すれば、刊行物１には以下の発明（以下、「引用発明」という。）が記載されている。また、ａ〜ｇについては引用発明を分説するため当審で付与した。 
「ａ　複数の図柄表示領域を表示可能な表示画面において複数の図柄を利用した変動表示を行った後に図柄を停止表示させることによって、停止表示させた複数の図柄の組み合わせによって特定の特典として大当たり遊技が付与される遊技機であって（【１１３３】、【１１３７】）、
ｂ、ｄ　前記複数の図柄表示領域のうちの一部の図柄表示領域において図柄を停止表示させることによってリーチ状態を形成する図柄表示領域と組み合わせて前記特定の特典が付与されるか否かの報知に利用される図柄表示領域である特定の図柄表示領域における前記変動表示において表示されるべき画像に、図柄の候補である複数の停止図柄候補に加えて、図柄の停止表示に先立って実現され得る演出である発展演出を表す発展演出示唆画像を追加する演出示唆画像追加手段と（【１１３３】）、
ｅ　前記特定の図柄表示領域における変動表示に続いて、図柄を停止表示させる代わりに前記発展演出示唆画像を停止表示させ、前記発展演出を前記表示手段に実現させる演出実現停止手段とを備え（【１１３３】）、
ｆ’　前記演出実現停止手段は、前記特定の図柄表示領域における変動表示に続いて、前記発展演出を実現することなく、図柄を停止表示させることによって実現される第１パターンとは異なる別のパターンであって、前記特定の図柄表示領域における変動表示に続いて、図柄を停止表示させる代わりに前記発展演出示唆画像を停止表示させ、前記発展演出を前記表示手段に実現させることによって前記特定の特典が付与されることを表す当たりである期待度が高い第２パターンを実現し（【１１３３】）、
ｇ　変動表示において変動して表示される画像（複合候補画像）に、複数種類の発展演出をそれぞれ表す複数の演出示唆画像が追加される（【１１１２】）、
　遊技機。」
（２）原査定の拒絶の理由に引用された、本願の出願前に頒布された刊行物である特開２００５−２８７８７３号公報（以下、「刊行物２」という。）には、図面と共に次の事項が記載されている（下線は当審で付した。）。
「【０１３４】
　本実施の形態のパチンコ機１０において、通常の変動表示は左側・中央・右側の各表示領域において各図柄列４２ａ〜４２ｃの配列に基づいて各図柄が縦スクロールすることにより行われる。ここで、各表示領域における縦スクロールがすべて停止した際に、有効ラインＬ１〜Ｌ５上に同一図柄、或いは、顔図柄を含む同一の主図柄が揃った表示状態となれば、所定の遊技価値が付与される大当たり状態となるように構成されている。このため、３つの内２つの表示領域の縦スクロールが停止した際に、有効ラインＬ１〜Ｌ５上に同一図柄が２つ揃っていれば、大当たりを示唆する表示状態、即ち、リーチ状態となる。本実施の形態の
パチンコ機１０では、変動表示の変動パターンとして、ハズレ変動（通常変動）と、ノーマルリーチと、ノーマルリーチから発展するノーマルロングリーチと、ノーマルロングリーチから発展する星空スーパーリーチと、ノーマルロングリーチから発展する噴水スーパーリーチと、いきなり噴水スーパーリーチとが用意されている
【０１３５】
　なお、星空スーパーリーチ、噴水リーチ及びいきなり噴水リーチは、大当たりの発生確率が高いスーパーリーチに分類される。本実施の形態のパチンコ機１０では、大物口３３への遊技球の入球に基づく抽選によって大当たりを付与する抽選結果が導出された場合には、スーパーリーチを選択し易いように構成する一方、大物口３３への遊技球の入球の基づく抽選によって大当たりを付与しない抽選結果が導出された場合にはハズレ又はノーマルリーチを選択し易いように構成されている。また、
通常大当たり
は、スーパーリーチでは発生しないように構成されている
変動表示の実行時にスーパーリーチが現出した場合に、通常大当たりより遊技価値が高い確変大当たり発生の期待感を向上させることができるので、抑揚のある遊技を実現することができる
２．対比
　本願発明と引用発明を対比する。なお、見出しは（ａ）〜（ｇ）とし、本願発明、引用発明の分説に対応させている。
（ａ）引用発明の「複数の図柄」、「変動表示」、「複数の図柄表示領域を表示可能な表示画面」及び「特定の特典として大当たり遊技が付与される」ことは、それぞれ、本願発明の「識別情報」、「可変表示」、「可変表示装置」及び「遊技者にとって有利な有利状態に制御可能」なことに相当する。
　また、引用発明の「停止表示させた複数の図柄の組み合わせ」は、それによって「特定の特典として大当たり遊技が付与される」のであるから、本願発明の「特定結果」を含むものとえいる。
　したがって、引用発明の「複数の図柄表示領域を表示可能な表示画面を有する表示手段において複数の図柄を利用した変動表示を行った後に図柄を停止表示させることによって、停止表示させた複数の図柄の組み合わせによって特定の特典として大当たり遊技が付与される遊技機」は、本願発明の「識別情報の可変表示を行う可変表示装置に特定結果が導出表示されたときに遊技者にとって有利な有利状態に制御可能な遊技機」に相当する。
（ｂ）引用発明の「前記リーチ状態を形成する図柄表示領域と組み合わせて前記特定の特典が付与されるか否かの報知に利用される図柄表示領域である特定の図柄表示領域における前記変動表示において表示されるべき画像に、図柄の候補である複数の停止図柄候補に加えて、図柄の停止表示に先立って実現され得る演出である発展演出を表す発展演出示唆画像を追加する」ことは、リーチにおける演出を実行することといえる。
　したがって、引用発明の「前記リーチ状態を形成する図柄表示領域と組み合わせて前記特定の特典が付与されるか否かの報知に利用される図柄表示領域である特定の図柄表示領域における前記変動表示において表示されるべき画像に、図柄の候補である複数の停止図柄候補に加えて、図柄の停止表示に先立って実現され得る演出である発展演出を表す発展演出示唆画像を追加する演出示唆画像追加手段」は、本願発明の「リーチ演出を実行するリーチ演出実行手段」に相当する。
（ｄ）引用発明の「図柄の候補である複数の停止図柄候補」及び「図柄の停止表示に先立って実現され得る演出である発展演出を表す発展演出示唆画像」は、それぞれ、本願発明の「最終停止識別情報として導出表示される識別情報の候補の画像」及び「所定演出を示唆する所定演出示唆画像」に相当する。
　また、引用発明では「前記リーチ状態を形成する図柄表示領域と組み合わせて前記特定の特典が付与されるか否かの報知に利用される図柄表示領域である特定の図柄表示領域における前記変動表示において表示されるべき画像」として、「図柄の候補である複数の停止図柄候補」が表示される通常のリーチ演出に対して、「図柄の停止表示に先立って実現され得る演出である発展演出を表す発展演出示唆画像を追加」して表示する演出は特別なリーチ演出といえる。
　したがって、引用発明の「前記リーチ状態を形成する図柄表示領域と組み合わせて前記特定の特典が付与されるか否かの報知に利用される図柄表示領域である特定の図柄表示領域における前記変動表示において表示されるべき画像に、図柄の候補である複数の停止図柄候補に加えて、図柄の停止表示に先立って実現され得る演出である発展演出を表す発展演出示唆画像を追加する」ことは、本願発明の「前記リーチ演出は、最終停止識別情報として導出表示される識別情報の候補の画像と所定演出を示唆する所定演出示唆画像とが表示される特別リーチ演出」に相当する。
（ｅ）上記（ｄ）の検討を踏まえれば、引用発明の「前記特定の図柄表示領域における変動表示に続いて、図柄を停止表示させる代わりに前記発展演出示唆画像を停止表示させ、前記発展演出を前記表示手段に実現させる演出実現停止手段」は、本願発明の「前記特別リーチ演出が実行された後、最終停止識別情報が導出表示される前に前記所定演出を実行する所定演出実行手段」に相当する。
（ｆ）上記（ａ）〜（ｅ）の検討を踏まえれば、引用発明の「前記演出実現停止手段は、前記特定の図柄表示領域における変動表示に続いて、前記発展演出を実現することなく、図柄を停止表示させることによって実現される第１パターンとは異なる別のパターンであって、前記特定の図柄表示領域における変動表示に続いて、図柄を停止表示させる代わりに前記発展演出示唆画像を停止表示させ、前記発展演出を前記表示手段に実現させることによって前記特定の特典が付与されることを表す当たりである期待度が高い第２パターンを実現」することと、本願発明の「前記遊技価値付与手段は、前記所定演出実行手段により前記所定演出が実行されてから前記有利状態に制御されたときと、前記特別リーチ演出が実行された後前記所定演出が実行されずに前記有利状態に制御されたときとで、異なる割合で遊技価値を付与」することとは、「前記所定演出実行手段により前記所定演出が実行されてから前記有利状態に制御されたときと、前記特別リーチ演出が実行された後前記所定演出が実行されずに前記有利状態に制御されたときとで、異なる割合で遊技利益を付与する」点で共通する。
（ｇ）引用発明の「変動表示において変動して表示される画像（複合候補画像）に、複数種類の発展演出をそれぞれ表す複数の演出示唆画像が追加される」ことは、本願発明の「前記特別リーチ演出では、前記所定演出示唆画像を複数表示可能である」ことに相当する。
　そうすると、両者は
「Ａ　識別情報の可変表示を行う可変表示装置に特定結果が導出表示されたときに遊技者にとって有利な有利状態に制御可能な遊技機であって、
Ｂ　リーチ演出を実行するリーチ演出実行手段とを備え、
Ｄ　前記リーチ演出は、最終停止識別情報として導出表示される識別情報の候補の画像と所定演出を示唆する所定演出示唆画像とが表示される特別リーチ演出を含み、
Ｅ　前記特別リーチ演出が実行された後、最終停止識別情報が導出表示される前に前記所定演出を実行する所定演出実行手段をさらに備え、
Ｆ’前記所定演出実行手段により前記所定演出が実行されてから前記有利状態に制御されたときと、前記特別リーチ演出が実行された後前記所定演出が実行されずに前記有利状態に制御されたときとで、異なる割合で遊技利益を付与し、
Ｇ　前記特別リーチ演出では、前記所定演出示唆画像を複数表示可能である、
　遊技機。」
である点で一致し、次の点で相違する。
（相違点１）
　本願発明は「遊技者に遊技価値を付与する遊技価値付与手段」を備えるものであるのに対し、引用発明は遊技価値付与手段を備えるか否か特定されていない点。
（相違点２）
　所定演出実行手段により所定演出が実行されてから有利状態に制御されたときと、特別リーチ演出が実行された後所定演出が実行されずに有利状態に制御されたときとで、異なる割合で付与される遊技利益が、本願発明では「有利状態」とは異なる「遊技価値」であるのに対し、引用発明では有利状態である「大当たり」である点。
３．判断
　上記相違点１及び２は関連するので、以下、まとめて検討する。
　刊行物２の段落【０１３４】及び【０１３５】（上記第３の１．（２））には、パチンコ機において、変動表示の変動パターンとして、ノーマルリーチから発展するノーマルロングリーチと、ノーマルロングリーチから発展する星空スーパーリーチ等が用意され、通常大当たりはスーパーリーチでは発生しないように構成することによって、変動表示の実行時にスーパーリーチが現出した場合に、通常大当たりより遊技価値が高い確変大当たり発生の期待感を向上させるという技術事項が記載されている。
　ここで、このパチンコ機が確変という遊技価値を付与する遊技価値付与手段を備えることは明らかであり、また、通常大当たりはスーパーリーチでは発生しないのであるから、スーパーリーチが現出した場合と現出しない場合とで、異なる割合で確変という遊技価値を付与するものといえる。
　したがって、この刊行物２は、確変という遊技価値を付与する遊技価値付与手段を備えるという技術事項と、確変という遊技価値を付与する遊技価値付与手段は、スーパーリーチという所定演出の実行手段により、スーパーリーチという所定演出が実行されてから大当たりという有利状態に制御されたときと、ノーマルロングリーチという特別なリーチ演出が実行された後前記スーパーリーチという所定演出が実行されずに前記大当たりという有利状態に制御されたときとで、異なる割合で確変という遊技価値を付与するという技術事項、すなわち、上記相違点１及び２に係る本願発明の構成Ｃ、Ｆに対応する技術事項を開示するものといえる。
　そして、刊行物１の段落【１１３７】（上記第３の１．イ）には特定の特典として大当たり遊技に限らず確変大当たりを採用してもよいという技術事項が記載されているから、確変に関する刊行物２の上記技術事項に倣い、引用発明の特定の特典として確変を採用して、発展演出が実行されてから大当たりという有利状態に制御されたときと、発展演出示唆画像を追加して変動表示を行う特別なリーチ演出が実行された後前記発展演出が実行されずに前記大当たりという有利状態に制御されたときとで、異なる割合で確変という遊技価値を付与するものとして上記相違点１及び２に係る本願発明の構成Ｃ、Ｆに想到することは容易になし得るものである。
　なお、刊行物２の上記技術事項を採用しなくても、刊行物１の段落【１１３７】（上記第３の１．イ）の特定の特典として大当たり遊技に限らず確変大当たりを採用してもよいという技術事項の記載から、引用発明の「特定の特典」を「大当たり遊技」ではなく「確変大当たりによる確変」とすることによって上記相違点１及び２に係る本願発明の構成Ｃ、Ｆに想到することも当業者が容易になし得るものである。
　また、本願発明の効果は、引用発明、刊行物１に記載の技術事項及び刊行物２に記載の技術事項から予測できる範囲のものであり格別なものではない。 
４．請求人の主張に対して
　請求人は、審判請求書の第５頁第２０行〜第６頁第９行において、次のように主張する。
「本願請求項１に係る発明では…遊技価値付与手段は、所定演出実行手段により所定演出が実行されてから有利状態に制御されたときと、特別リーチ演出が実行された後所定演出が実行されずに有利状態に制御されたときとで、異なる割合で遊技価値を付与します。なお…所定演出実行手段は、特別リーチ演出が実行された後、最終停止識別情報が導出表示される前に所定演出を実行します。つまり、本願請求項１に係る発明では、特別リーチ演出が実行された後所定演出が実行されてから有利状態に制御されたときと、特別リーチ演出が実行された後所定演出が実行されずに有利状態に制御されたときとで異なる割合で遊技価値を付与します。 
　これに対しまして、引用文献２（当審注：当審決の「刊行物２」に相当する。）の発明には、スーパーリーチが実行されてから大当たりとなる場合には通常大当たりにはならないのに対し、スーパーリーチが実行されずに大当たりとなる場合には通常大当たりとなり得ることが開示されているだけです。つまり、単独の「スーパーリーチ」が実行されるかどうかに応じて、異なる遊技価値が付与されるだけです。そのため、このような引用文献２の発明を引用文献３（当審注：当審決の「刊行物１」に相当する。）の発明に適用しても、「異サイズリーチ演出」が実行されるかどうかに応じて、異なる遊技価値が付与されるにとどまると思料致します。 
　従いまして、本願請求項１に係る発明は…引用文献３、２に記載された発明から、当業者であっても容易に想到することはできません。」
　しかしながら、 上記第３の３．で述べたように、刊行物２には、確変という遊技価値を付与する遊技価値付与手段を備え、前記遊技価値付与手段は、スーパーリーチという所定演出の実行手段により、スーパーリーチという所定演出が実行されてから大当たりという有利状態に制御されたときと、ノーマルロングリーチという特別なリーチ演出が実行された後前記スーパーリーチという所定演出が実行されずに前記大当たりという有利状態に制御されたときとで、異なる割合で確変という遊技価値を付与するという本願発明の構成Ｃ、Ｆに対応する技術事項を開示するものといえる。
　そして、確変に関する上記刊行物２に記載の技術事項に倣い、引用発明の特定の特典として確変を採用して、発展演出が実行されてから大当たりという有利状態に制御されたときと、発展演出示唆画像を追加して変動表示を行う特別なリーチ演出が実行された後前記発展演出が実行されずに前記大当たりという有利状態に制御されたときとで、異なる割合で確変という遊技価値を付与するものとすることは当業者が容易になし得るものである。
　したがって、請求人の主張は採用できない。
５．むすび
　以上のとおり、本願発明は、引用発明、刊行物１に記載の技術事項及び刊行物２に記載の技術事項に基づいて当業者が容易に発明をすることができたものであるから、特許法第２９条第２項の規定により特許を受けることができない。
　したがって、本願は拒絶すべきものである。
　よって、結論のとおり審決する。